(57)【要約】【課題】扁平で比較的大きな内部空間を有するマイクロホンケースを備えたバウンダリーマイクロホンにおいて、携帯電話機レベルの強い電磁波によりマイクロホンケース内で空洞共振が生じないようにする。【解決手段】上面側が開放された金属製の扁平なベース部１０と、多数の開口（音波導入孔）を有しベース部１０の上面を覆うようにしてベース部１０に取り付けられる金属製のマイクカバー２０とにより構成されるマイクロホンケース１を備え、マイクロホンケース１内に少なくともマイクユニット３１と所定の電気回路が形成された回路基板３０とが収納されているバウンダリーマイクロホンにおいて、マイクロホンケース１の空間内に導電性，通気性および弾力性を併せ持つ詰め物（例えば金属ウールや導電スポンジ）５０を収納する。【選択図】図１
2008167175.tif 000002
【特許請求の範囲】
【請求項１】
上面側が開放された金属製の扁平なベース部と、多数の開口（音波導入孔）を有し上記ベース部の上面を覆うようにして上記ベース部に取り付けられる金属製のマイクカバーとにより構成されるマイクロホンケースを備え、上記マイクロホンケース内に少なくともマイクユニットと所定の電気回路が形成された回路基板とが収納されているバウンダリーマイクロホンにおいて、
上記マイクロホンケースの空間内に、導電性，通気性および弾力性を併せ持つ詰め物が収納されていることを特徴とするバウンダリーマイクロホン。
【請求項２】
上記詰め物として、金属ウール材もしくは導電スポンジ材が用いられる請求項１に記載のバウンダリーマイクロホン。
【請求項３】
上記マイクカバーの周端面と上記ベース部との間に、弾性と導電性とを併せもつガスケットがさらに配置されている請求項１または２に記載のバウンダリーマイクロホン。
【発明の詳細な説明】
【技術分野】
【０００１】
本発明はバウンダリーマイクロホンに関し、さらに詳しく言えば、外来電磁波による雑音の発生を防止する技術に関するものである。
【背景技術】
【０００２】
バウンダリーマイクロホン（面上収音式マイクロホン）は、例えばＴＶスタジオや会議の席などにおいて机や床面に設置して使用されることからサーフェイスマウントマイクロホンとも呼ばれており、特許文献１に記載されているように、バウンダリーマイクロホンには扁平なマイクロホンケースが用いられる。その一例を図２の断面図および図３の分解断面図により説明する。
【０００３】
これによると、バウンダリーマイクロホンに用いられるマイクロホンケース１は、基本的に、上面側が開放された金属製の扁平なベース部１０と、その上面を覆うようにしてベース部１０に取り付けられる多数の開口（音波導入孔）を有する金属製のマイクカバー２０の２つの部品から構成される。
【０００４】
通常、ベース部１０は亜鉛ダイカストなどの鋳造により形成され、マイクカバー２０にはパンチングプレート（多孔板）が用いられる。パンチングプレートに代えて金網体が用いられることもある。マイクカバー２０はベース部１０に対してネジ止めされるが、多点でネジ止めすると見栄えがよくないことから１点止めとしている。
【０００５】
すなわち、マイクカバー２０のほぼ中央にネジ挿通孔２１を穿設するとともに、ベース部１０側には雌ネジを有するボス１１を立てて、固定用の雄ネジ２２をネジ挿通孔２１からボス１１に螺合してマイクカバー２０をベース部１０に固定するようにしている。
【０００６】
ベース部１０とマイクカバー２０とによりマイクロホンケース１内にシールド空間が形成され、その内部にコンデンサマイクユニット３１が実装された回路基板３０が収納される。なお、図示しないが回路基板３０にはＦＥＴ（電界効果トランジスタ）などのインピーダンス変換器や音質調整回路，出力回路なども実装されている。また、回路基板３０にはマイクコード３２が接続され、マイクコード３２はコードブッシュ３３を介してベース部１０から引き出される。
【０００７】
ところで、マイクカバー２０に用いられるパンチングプレートは多数の孔が開けられた例えば鉄板よりなり、所定の形状に切り出されたのちプレスで目的とする形状に加工されるが、多孔板であるためベース部１０と接触する周端面（切断面）２０ａは不斉一でギザギザしている。また、ベース部１０もダイカスト製の場合その鋳肌面は平坦ではない。そのため、ベース部１０とマイクカバー２０の電気的な接続は多点での点接触となっている。
【０００８】
電磁波による影響を考える場合、放送局で使用されている通常のＶＨＦ，ＵＨＦ帯などの電磁波による干渉については上記したベース部１０とマイクカバー２０とによるシールドで十分に対応することができる。しかしながら、マイクロホンの分野においては、近年の携帯電話機の急速な普及に伴ってその強力な電磁波による影響が問題となっている。
【０００９】
すなわち、携帯電話機が使用されるとかなり強い電磁波（例えば、数ｃｍ〜数１０ｃｍ程度の範囲内では商用電波により市中で生じている電界強度の数万倍に達する電界強度）が発生される。
【００１０】
しかしながら、上記したベース部１０とマイクカバー２０とによるシールドではその電気的な接触が点接触であるため、上記したような強い電磁波に対してはマイクカバー２０がアンテナとして作用してしまいこれが原因で雑音が発生することがある。
【００１１】
この点を解決するため、本出願人は、特許文献２において、マイクカバー２０の周端面２０ａとベース部１０との間に、弾性と導電性とを併せもつガスケット（弾性を有する芯材の全周を導電性繊維で被覆したガスケット）を挟み込むことを提案している。
【００１２】
【特許文献１】実用新案登録第２５１５８１２号公報
【特許文献２】特開２００５−３３３１８０号公報
【発明の開示】
【発明が解決しようとする課題】
【００１３】
上記特許文献２に記載の発明によれば、マイクカバー周縁部のシールドについては所期の効果が得られたが、マイクカバーが所定の強度を確保するため鉄製であること、また、マイクコードの引出部や図示しないスイッチの開口部などは必ずしもシールドが完全ではないため、これらの部分から電磁波がマイクロホンケース内に入り込むことがある。
【００１４】
バウンダリーマイクロホンにおいては、マイクロホンケース内の空間が比較的大きいことから、電磁波が入り込むと空洞共振器を構成してしまう。これは、マイクロホンケース内の空間の寸法が携帯電話機から放射される電磁波の波長にきわめて近いことによるもので、空洞共振器が構成されることにより雑音が発生する。
【００１５】
したがって、本発明の課題は、扁平で比較的大きな内部空間を有するマイクロホンケースを備えたバウンダリーマイクロホンにおいて、携帯電話機レベルの強い電磁波によりマイクロホンケース内で空洞共振が生じないようにすることにある。
【課題を解決するための手段】
【００１６】
上記課題を解決するため、本発明は、請求項１に記載されているように、上面側が開放された金属製の扁平なベース部と、多数の開口（音波導入孔）を有し上記ベース部の上面を覆うようにして上記ベース部に取り付けられる金属製のマイクカバーとにより構成されるマイクロホンケースを備え、上記マイクロホンケース内に少なくともマイクユニットと所定の電気回路が形成された回路基板とが収納されているバウンダリーマイクロホンにおいて、上記マイクロホンケースの空間内に、導電性，通気性および弾力性を併せ持つ詰め物が収納されていることを特徴としている。
【００１７】
請求項２に記載されているように、上記詰め物として、好ましくは金属ウール材もしくは導電スポンジ材が用いられる。
【００１８】
また、請求項３に記載されているように、上記マイクカバーの周端面と上記ベース部との間に、弾性と導電性とを併せもつガスケットがさらに配置されることが好ましい。
【発明の効果】
【００１９】
本発明によれば、マイクロホンケースの空間内に、導電性，通気性および弾力性を併せ持つ詰め物（好ましくは金属ウール材もしくは導電スポンジ材）が収納されていることにより、マイクロホンケースの空間内での電界が短絡されるため、空洞共振の発生が防止される。また、接触箇所も多くなるため、シールドも強化される。
【発明を実施するための最良の形態】
【００２０】
次に、図１により本発明の実施形態について説明するが、本発明はこれに限定されるものではない。図１は本発明のバウンダリーマイクロホンの実施形態を示す断面図であり、この実施形態の説明において、先の図２，図３により説明した従来例と同じであってよい構成要素には、その参照符号をそのまま用いている。
【００２１】
図１に示すように、本発明によるバウンダリーマイクロホンにおいても、マイクロホンケース１は、上面側が開放された金属製の扁平なベース部１０と、その上面を覆うようにしてベース部１０に取り付けられる多数の開口（音波導入孔）を有する金属製のマイクカバー２０の２つの部品から構成されてよい。
【００２２】
通常、ベース部１０は亜鉛ダイカストなどの鋳造により形成されるが、これ以外に金属のプレス成型品が用いられてもよい。また、マイクカバー２０には鉄製などのパンチングプレート（多孔板）が用いられるが、パンチングプレートに代えて金網体が用いられてもよい。また、塗装が施されていてもよい。
【００２３】
この例においても、マイクカバー２０はベース部１０に対してネジ止めされる。見栄え上（意匠上）の観点から上記従来例と同じく固定ネジ２２とボス１１とによる１点止めが好ましいが、止め方は本発明の要部でないため多点でネジ止めしてもよい。また、場合によってはネジ止め以外の方法でマイクカバー２０をベース部１０に固定してもよい。
【００２４】
ベース部１０とマイクカバー２０とにより形成されるマイクロホンケース１の空間内に回路基板３０とコンデンサマイクユニット３１とが収納される。コンデンサマイクユニット３１は、図１に示すように、回路基板３０に実装された状態でマイクロホンケース１内に収納されてもよいし、回路基板３０とは別にして収納されてもよい。
【００２５】
図示しないが、回路基板３０にはインピーダンス変換器や音質調整回路，出力回路などが実装されてよい。また、回路基板３０にはマイクコード３２が接続され、マイクコード３２はコードブッシュ３３を介してベース部１０から引き出される。
【００２６】
マイクカバー２０はパンチングプレート（もしくは金網体）から所定の形状に切り出されたのちプレスで目的とする形状に加工されるため、ベース部１０と接触する周端面（切断面）２０ａは不斉一でギザギザしている。また、ベース部１０もダイカスト製の場合その鋳肌面は平坦ではない。
【００２７】
そのため、ベース部１０とマイクカバー２０との電気的な接続は多点での点接触状態となる。なお、ベース部１０の鋳肌面が仮に平滑であるにしてもマイクカバー２０の周端面２０ａが不斉一でギザギザしている以上、ベース部１０とマイクカバー２０の電気的な接続は多点での点接触となる。
【００２８】
このような点接触状態で、例えば携帯電話機が近傍で使用されその強い電磁波がマイクロホンケース１に加えられると、マイクカバー２０自体がアンテナとなって電磁波を受信し、それが上記インピーダンス変換器にて検波されて雑音が発生することがある。
【００２９】
これを防止するため、この実施形態では、マイクカバー２０の周端面２０ａとベース部１０との間に弾性と導電性とを併せもつガスケット４０を配置している。このガスケット４０はマイクカバー２０の周端面２０ａの全体にわたって配置されることが好ましいが、数箇所に部分的に配置してもよい。
【００３０】
図示しないが、ガスケット４０には、スポンジやゴムなどの弾性を有する芯材の全周に導電性繊維（導電性織物）を被覆してなるものが好ましく用いられる。この種のガスケットには、例えば太陽金網社製のソフト・シールド５０００（商品名）がある。
【００３１】
マイクカバー２０の周端面２０ａとベース部１０との間にガスケット４０を挟み込むことにより、マイクカバー２０とベース部１０とが低インピーダンスにて電気的に接続されるため、マイクロホンケース１内には高い周波数の強い電磁波に対しても有効なシールド空間が提供される。
【００３２】
また、ベース部１０やマイクカバー２０の寸法誤差によるがたつきもガスケット４０によって吸収することができる。さらには、コンデンサマイクユニット３１を交換するためマイクカバー２０を繰り返し着脱しても初期のシールド性能を維持できる。
【００３３】
このようにしても、マイクカバー２０が所定の強度を確保するため鉄製であること、また、マイクコード３２の引出部や図示しないスイッチの開口部などは必ずしもシールドが完全ではないため、これらの部分から例えば携帯電話機から放射される強い電磁波がマイクロホンケース内に入り込むと、上述したように、マイクロホンケース１内で雑音発生の原因となる空洞共振器が構成されることがある。
【００３４】
これを防止するため、本発明では、マイクロホンケース１の空間内を導電性，通気性および弾力性を併せ持つ詰め物５０で満たすようにしている。これによれば、マイクロホンケース１の空間内での電界が短絡されるため、空洞共振の発生が防止される。また、接触箇所も多くなるため、シールドも強化される。
【００３５】
なお、この種の詰め物５０には、金属ウール材もしくは導電スポンジ材が好適であり、量産するうえでは導電スポンジ材が好ましく採用される。導電スポンジ材は、例えばＥＳＤ  ＥＭＩエンジニアリング社から市販されている。
【図面の簡単な説明】
【００３６】
【図１】本発明によるバウンダリーマイクロホンの実施形態を示す断面図。
【図２】従来の一般的なバウンダリーマイクロホンを示す断面図。
【図３】図２の分解図。
【符号の説明】
【００３７】
１  マイクロホンケース
１０  ベース部
２０  マイクカバー
２０ａ  周端面
３０  回路基板
３１  コンデンサマイクユニット
３２  マイクコード
４０  ガスケット
５０  詰め物
【図１】
2008167175.tif 000003
【図２】
2008167175.tif 000004
【図３】
2008167175.tif 000005